【手続補正書】
【提出日】平成20年9月11日(2008.9.11)
【手続補正１】
【補正対象書類名】明細書
【補正対象項目名】発明の名称
【補正方法】変更
【補正の内容】
【発明の名称】手さげ洗濯かご等つかみ装置
【手続補正２】
【補正対象書類名】明細書
【補正対象項目名】特許請求の範囲
【補正方法】変更
【補正の内容】
【特許請求の範囲】
【請求項１】  つかみ手（Ａ）は、スタビライザー（１）の底部に突設片（２）を上向きに突設したものとして、引き手（Ｂ）は、その下端側をつかみ手（Ａ）の突設片（２）の下方側適部に連結している手さげ洗濯かご等つかみ装置。
【請求項２】  つかみ手（Ａ）は、スタビライザー（１）の底部に、突設片（２）を上向きに突設したものとして、スタビライザー（１）は、突設片（２）の下端より上方へ伸びて突設片（２）よりもさらに上部に位置した上端側に被係止部（１５）を設けてあるものとして、引き手（Ｂ）は、その下端側につかみ手（Ａ）の突設片（２）を含めた底部を取り付けて、引き手（Ｂ）の上方側に被係止部（１５）を係止して、つかみ手（Ａ）を引き手（Ｂ）側に上げ下げできるようにした手さげ洗濯かご等つかみ装置。
【請求項３】  つかみ手（Ａ）は、スタビライザー（１）の底部に、突設片（２）を上向きに突設したものとして、スタビライザー（１）は、突設片（２）の下端より上方へ伸びて突設片（２）よりもさらに上部に位置した上端側に被係止部（１５）を設けてあるものとして、そしてさらに、つかみ手（Ａ）の突設片（２）を含めた底部にレバー（２８）の一端側を取り付けて上下に回動できるようにして、引き手（Ｂ）は、その下端側にレバー（２８）の他端側を取り付けて、引き手（Ｂ）の上方側に被係止部（１５）を係止して、つかみ手（Ａ）を引き手（Ｂ）側に上げ下げできるようにした手さげ洗濯かご等つかみ装置。
【請求項４】  つかみ手（Ａ）は、スタビライザー（１）の底部に、突設片（２）を上向きに突設したものとして、スタビライザー（１）は、突設片（２）の下端より上方へ伸びて突設片（２）よりもさらに上部に位置した上端側に被係止部（１５）を設けてあるものとして、そしてさらにつかみ手（Ａ）の突設片（２）の一部を左右に回動できるようにして、引き手（Ｂ）は、その下端側につかみ手（Ａ）の突設片（２）を含めた底部を取り付けて、引き手（Ｂ）の上方側に被係止部（１５）を係止して、つかみ手（Ａ）を引き手（Ｂ）側に上げ下げできるようにした手さげ洗濯かご等つかみ装置。
【請求項５】  つかみ手（Ａ）はかぎ形のものとして、引き手（Ｂ）の上端取り付け側に被係止部（１５）を係止して、つかみ手（Ａ）を引き手（Ｂ）の上端取り付け側に上げ下げできるようにしたものである、請求項２、３又は４に記載の手さげ洗濯かご等つかみ装置。
【請求項６】  被係止部（１５）が、穴、筒状のもの又は棒状のものである、請求項２〜請求項５のいずれか１項に記載の手さげ洗濯かご等つかみ装置。
【請求項７】  棒状又は筒状の被係止部（１５）を、引き手（Ｂ）の上方側に設けて被係止部（１５）がちょうどはまる筒状又は棒状のものに係止して、つかみ手（Ａ）を引き手（Ｂ）側に上げ下げできるようにしたものである、請求項２〜請求項５のいずれか１項に記載の手さげ洗濯かご等つかみ装置。
【請求項８】  つかみ手（Ａ）は、断面が略Ｃ字状の上端側に筒状の被係止部（１５）を設けたかぎ形のものとして、筒状の被係止部（１５）を、引き手（Ｂ）の上方側に設けて被係止部（１５）がちょうどはまる筒状又は棒状のものに係止して、つかみ手（Ａ）を引き手（Ｂ）側に上げ下げできるようにしたものである、請求項２、３又は４に記載の手さげ洗濯かご等つかみ装置。
【請求項９】  つかみ手（Ａ）側と引き手（Ｂ）側との間に弾性体（４５）を設けて、つかみ手（Ａ）を引き手（Ｂ）の上方側に付勢させた請求項２〜請求項８のいずれか１項に記載の手さげ洗濯かご等つかみ装置。
【請求項１０】  つかみ手（Ａ）側と引き手（Ｂ）側との間に弾性体（４５）を設け、その弾力を拘束かつ開放できるトリガー機構をつかみ手（Ａ）側又は引き手（Ｂ）側に設け、つかみ手（Ａ）を引き手（Ｂ）の下方側に付勢させるようにした、請求項９に記載の手さげ洗濯かご等つかみ装置。
【手続補正３】
【補正対象書類名】明細書
【補正対象項目名】０００１
【補正方法】変更
【補正の内容】
【０００１】
【発明の属する技術分野】
本発明は、手さげ洗濯かごの細長い取っ手等を吊り下げたり、棒や線材等の細長いものを水平に吊りしたり、引き寄せたりするとき等に使用する手さげ洗濯かご等つかみ装置に関するものである。
【手続補正４】
【補正対象書類名】明細書
【補正対象項目名】０００８
【補正方法】変更
【補正の内容】
【０００８】
【発明を解決するための手段】
本発明においてそのような課題を解決したが、本発明に係る手さげ洗濯かご等つかみ装置及び該装置に用いられるつかみ手は次のようなものである。まず、本発明に係る手さげ洗濯かご等つかみ装置において、つかみ手Ａは細長いスタビライザー１の底部に突設片２を上向きに突設したものとして、引き手Ｂは、その下端側をつかみ手Ａの突設片２の下方側適部に連結しているものである。
【手続補正５】
【補正対象書類名】明細書
【補正対象項目名】０００９
【補正方法】変更
【補正の内容】
【０００９】
このものにおいて、細長いスタビライザー１は板状、棒状、パイプ状等のものが使用でき、両端や一端に滑り止めのストッパー４を設けることもできる。突設片２においても板状、棒状等のものが使用できる。突設片２の形状はまっすぐなもの、断面逆Ｌ字状、断面Ｔ字状、吊るされものの形状に合わせたもの等とすることができる。二つの突設片２を設ける場合、スタビライザー１上の位置は中央寄り、両端より、一方が一端で他方が中央寄り、両端に位置するもの等とすることができ、細長いスタビライザー１に直角で同一面上に配列されてその配列面がスタビライザー１の中心軸上に位置するのが望ましい。突設片２はスタビライザー１と一体に形成してもよいし、溶接したりねじこんだり取り外し式等としてもよい。引き手Ｂはつかみ手Ａの突設片２に取り付けて洗濯かごの取っ手等を突設片２とでつかんで引くものであり、下端側には繊維ロープ以外に、ワイヤーロープ・ベルト・チエーン等を使うこともできるし、ロープ等の上方側に棒状や板状のものを連結したり滑車や掛止用のフック等や後で紹介する天びん棒１４等を設けたもの等とすることもできる。
【手続補正６】
【補正対象書類名】明細書
【補正対象項目名】００２８
【補正方法】変更
【補正の内容】
【００２８】
引き手Ｂ又は引き手Ｂの上端取り付け側に、つかみ手Ａの被係止部１５を係止してつかみ手Ａを上げ下げできるようにするのは、つかみ手Ａの上端側を引き手Ｂ側又は引き手Ｂの上端取り付け側から外れないように止めて、つかみ手Ａの転倒を防止すると同時に、引き手Ｂの下端側にたるみをもたせ棒や線材等をつかんだりリリースできるようにするためである。被係止部１５を係止するところは、ロープ等の張力の作用する部分だけなく、引き手Ｂと一体となっている部分や連結された部分等の張力の作用しない部分とすることもできる。係止する方法は、例えば、つかみ手Ａの上端側において、開けた穴や線材等を丸めて取り付けた穴や筒状の被係止部１５に、引き手Ｂのロープ等やロープ等に連結された棒状、板状、筒状等のものを通したりするもの。つかみ手Ａの上端側に縦方向に設けたスリット状の穴に引き手Ｂ側に設けた突起状のものを外れないように通したもの。引き手Ｂの上方側に縦方向に設けたスリット状の穴につかみ手Ａ側に設けた突起状のものを外れないように通したもの。引き手Ｂ側に設けた筒状のもの、引き手Ｂ側に設けた突起片の穴、ロープに設けたループ等に、つかみ手Ａの上方先端側を上側や下側より通したり挿入したりしたものや筒状、棒状の被係止部１５を挿入したり通したりしたもの等。引き手Ｂの上端側を掛止した別体側に設けた穴等につかみ手Ａの上方先端側を下方から又は上方から挿入したり通したりしたもの等とすることができる。とにかく、つかみてＡが外れずに上げ下げできればよい。
【手続補正７】
【補正対象書類名】明細書
【補正対象項目名】００４０
【補正方法】変更
【補正の内容】
【００４０】
（八） そして、（二）〜（六）のもののそれぞれにおいて、被係止部１５が、上向きに設けられた棒状又は筒状のものであるものとしてもよい。以上のつかみ手Ａは、前記の本発明に係る引き手Ｂとよりなる手さげ洗濯かご等つかみ装置の構成部品であり、ロープ等の引き手Ｂと併用して使用するものである。
【手続補正８】
【補正対象書類名】明細書
【補正対象項目名】００４１
【補正方法】変更
【補正の内容】
【００４１】
【作用】
請求項１に記載した手さげ洗濯かご等つかみ装置は、次のように使用する。まず、引き手Ｂの上端側を物干し竿等に吊るし掛ける。そして洗濯かごの取っ手中央を持ち上げ、他方の手でつかみ手Ａを持ち上げ引き手Ｂ側に十分なたるみを持たす。つかみ手Ａを洗濯かごの取っ手下にくぐらせ、取っ手を握った手の両サイド部分を突設片２と引き手Ｂとの間ではさみ込み、同時にスタビライザー１の端側を取っ手の垂直部に当て両手を離す。この時、突設片２とロープ等の引き手Ｂの下端側との間に挟まれた取っ手は、洗濯物を入れた自重によりつかみ手Ａを回し倒そうとするが、取っ手の垂直部に当てたスタビライザー１によりブロックされる。そのため取っ手部分は洗濯物を入れた自重により突設片２と引き手Ｂの下端側との間でしっかりとつかみグリップされる。グリップ力は洗濯物を入れた重量があればあるほど大きくなる。外すときは、洗濯かごを持ち上げる。すると、つかみ手Ａは自然に簡単に外れる。
【手続補正９】
【補正対象書類名】明細書
【補正対象項目名】００４２
【補正方法】削除
【補正の内容】
【手続補正１０】
【補正対象書類名】明細書
【補正対象項目名】００４３
【補正方法】変更
【補正の内容】
【００４３】
請求項２〜請求項９に記載のものにおいて、吊り下げて使う場合は次のようにする。まず、かぎ形や円筒等のつかみＡの下端側に設けた突設片２やレバー２８に、引き手Ｂであるロープ等の下端側を取り付ける。そしてロープ等の上端側をつかみＡの上端側にうがった被係止部１５の穴等に通し、上端に設けた蛇口やフックを物干し竿等やクレーン等のフックに掛け吊るす。そしてつかみ手Ａを持ち上げたり、フックを下げ降ろしてつかみ手Ａを地上に降ろしたりして引き手Ｂの下側に十分なたるみをもたせる。つかみ手Ａの形状が、かぎ形のような開いたつかみ手であればスタビライザー１と突設片２またはレバー２８と突設片２との間に洗濯かごの取っ手や棒等を直接落とし込み手を離す。またはクレーン等で吊り上る。枠状、筒状、骨組み状の中空体等の閉じたつかみ手であれば、いったん内側に棒や線材等を差し込んでからスタビライザー１と突設片２またはレバー２８と突設片２との間に棒や線材等を落とし込み手を離す。またはクレーン等で吊り上る。密閉された中空体のつかみ手Ａであれば、あらかじめ内部に搬入した棒や線材等の細長いものを内部においてスタビライザー１と突設片２又はレバー２８と突設片２との間に落とし込み、クレーン等で吊り上げる。
【手続補正１１】
【補正対象書類名】明細書
【補正対象項目名】００４６
【補正方法】変更
【補正の内容】
【００４６】
請求項７、８に記載のものにおいて、握って使用するものの場合は次のようにする。互いにはまりあって、つかみ手Ａをスライド自在に係止している筒状又は棒状の引き手Ｂ側を握り、逆さまにしてつかみ手Ａ側を引き手Ｂ側に落とし込み引き手Ｂにたるみをもたす。そして上方や斜め上方向にある棒やパイプ等をかぎ形のつかみ手Ａの先端側で引っ掛けて引き込んだり、上方にあるパイプ等に引っ掛かけてぶら下がったり、棒状の突起物等に閉じたつかみ手Ａを掛けてぶら下がったりする。この時、つかみ手Ａの一端側を上下方向に対して左右に回動できるものにおいては、パイプ等に直角でなく斜め方向から引っ掛け引き込んだり、ぶら下がってパイプ等の伸長方向に大きく揺れたりしても、連結されたつかみ手Ａの一端側も回動したり一緒に揺れたりしてパイプ等と突設片２との密着性は変わらず安定した状態でグリップする。グリップ力は引き手Ｂに働く張力が大きいほど強くなる。外す場合は、引き手Ｂ側にたるみを持たせてから取り外す。また、つかみ手Ａ側と引き手Ｂ側との間に設けて、つかみ手Ａが弾性体４５により引き手Ｂの上方側に付勢されている場合は、縦にしても横にしても引き手Ｂの下端側のロープ等には十分なたるみができ、レバー２８も自由に回動できる状態となっている。互いにはまりあって、つかみ手Ａ側をスライド自在に係止している筒状又は棒状の引き手Ｂ側を握り、水平方向や斜め上下方向にある棒やパイプ等をかぎ形のつかみ手Ａの先端側で引っ掛けて引き込んだり、上方にあるパイプ等に引っ掛かけてぶら下がったり、棒状の突起物等に閉じたつかみ手を掛けてぶら下がったりする。グリップ力は引き手Ｂに働く張力が大きいほど強くなる。外す場合は、ただ引くことをやめればよい。
【手続補正１２】
【補正対象書類名】明細書
【補正対象項目名】００４７
【補正方法】変更
【補正の内容】
【００４７】
請求項１０に記載したのものにおいては、次のように握って使用する。はめこんでスライドできる引き手Ｂ側をつかみ手Ａ側に押し込み、設けられた引きばね・ゴム紐を伸ばしたり押しばねを縮めたりしてさらに押し込み、引き手Ｂ側とつかみ手Ａ側の間に設けられたトリガー機構を介して、引き手Ｂ側をつかみ手Ａ側に自動的に又は手動により係止する。すると、引き手Ｂ側の下端側には十分なたるみができて、レバー２８も自由に回動できる状態となる。そして、つかみ手Ａの形状が、かぎ形であるので立てたパイプにも横から引っ掛けることができる。筒状のつかみ手Ａ側を握り持ち、グリップしようとする棒やパイプ等をつかみ手Ａの先端側で引っ掛けると同時にトリガーを引いたり押さえたりする。すると、引き手Ｂ側が弾性体４５の弾力によりつかみ手Ａ側より後方へ飛び出す。そして棒やパイプ等は突設片２とワイヤーロープ等との間やレバー２８と突設片２との間で弾性体４５の弾力により瞬時にして締め上げられしっかりとつかまれグリップされる。ロープ等を線材やパイプ等に回し掛けてしぼり込んだ状態が瞬時にして可能となる。引っ掛けた線材やパイプ等を強く手前に引き込み加速度が加わるときや、線材やパイプ等が重くてばね等の弾力以上の引きを必要とするときは、直接引き手Ｂ側を握り引っぱる。すると、ばね等の弾力以上の張力を引き手Ｂ側に付勢できる。外すときは引き手Ｂ側をつかみ手Ａ側に押し込み、引き手Ｂ側にたるみを持たせてから取り外す。
【手続補正１３】
【補正対象書類名】明細書
【補正対象項目名】００４８
【補正方法】削除
【補正の内容】
【手続補正１４】
【補正対象書類名】明細書
【補正対象項目名】００５８
【補正方法】変更
【補正の内容】
【００５８】
実施例５のものは次のように使用する。ロープ５を物干し竿に通し掛けて、つかみ手Ａのサイド側のスタビライザー１部を握りを持ち上げロープ５、５にたるみを持たせ、他方の手で洗濯かごの取っ手中央寄りを握り、取っ手中央部分を突設片２、２とスタビライザー１との間に落とし込み手を離す。この時、つかみ手Ａには洗濯物や洗濯かごの重量により回し倒そうとする回転モーメントが働くが、張力の作用する引き手Ｂ側に係止されたスタビライザー１の先端側に設けた被係止部１５、１５がブロックし、取っ手部分は洗濯もの、かご、つかみ手Ａ等の重量で突設片２、２とロープ５、５との間で確実にグリップされ滑らない。また洗濯かごの取っ手が上下に大きく揺れるようなことがあっても、ロープ５は竿上で滑り動き、洗濯カゴの取っ手はつかみ手Ａの底部の両端の一方より浮き上がることなくグリップされる。外すときはつかみ手Ａを持ち上げロープ５、５にたるみを持たせ取り外す。
【手続補正１５】
【補正対象書類名】明細書
【補正対象項目名】００７３
【補正方法】変更
【補正の内容】
【００７３】
実施例１４
実施例１４を図１４に基づいて説明する。つかみ手Ａと引き手Ｂとの係止方法はパイプどうしによるものとし、引き手Ｂ側パイプを太めのものとしている。つかみ手Ａは実施例１２より筒状部分が短いかぎ形とし、突設片２の一端側の水平部に設けられた引き手取り付け部３である穴に引き手Ｂであるロープ５の下端側をつかみ手の内側より通して取り付け、ロープ５の上端側を楕円パイプ状の被係止部１５の下端側よりに差し込んで、被係止部１５に上方よりはめこんだ太めの楕円パイプ状の係止片１３の上端側にストッパー６７を介して取り付けている。図１４に示したものは次のように使用する。係止片１３に設けたフック６８を吊り掛けて使用する場合は、つかみ手Ａ側を持ち上げロープ５にたるみ持たせスタビライザー１側と突設片２との間に洗濯かごの取っ手を落とし込み手を離す。すると取っ手はロープ５と突設片２との間でしっかりとつかみグリップされる。そして外す時はつかみ手Ａを持ち上げてから取り外す。また楕円パイプ状の係止片１３を握って使用する場合、つかみ手Ａを上に向け、つかみ手を楕円パイプ状の係止片１３側に落としこみロープ５をたるませる。そしてパイプや取っ手等の細長い物にひっかけたり、たぐりよせたりして使用する。
【手続補正１６】
【補正対象書類名】明細書
【補正対象項目名】００７４
【補正方法】変更
【補正の内容】
【００７４】
実施例１５
実施例１５を図１５に基づいて説明する。このものは、押しばねを用いてつかみ手Ａを上方に付勢させている。そして竿等に掛止するためフック等は設けてなく引手側に係止片１３である長い柄を設けている。つかみ手Ａは、幅の狭い板を折り曲げて略Ｃ字形として上方先端側に方形の穴を開けた筒状の被係止部１５を設けたもので全体をかぎ形としている。突設片２に設けた引き手取り付け部３である穴にロープ２３の下端側をつかみ手Ａの内側より通して取り付け、上端側を係止片１３である長い柄の下端側に取り付けている。係止片１３である長い柄は棒状で上端側に握り部７４を設け、下端側に設けたストッパー７２、７０の間は断面形状を方形とし、筒状の被係止部１５をスライド自在に係止している。さらに押しばね４５を設けてつかみ手Ａを上方に付勢させている。図１５に示したものは次のように使用する。つかみ手Ａをいちいち持ち上げてロープ２にたるみをもたせる必要がない。係止片１３である長い柄の握り部７４を握り、水平方向や斜め上下方向にあるパイプや線材等にただひっかけて引くだけで自動的にグリップする。線材等を引き寄せたり、掛けたパイプ等に吊り下がったりして使用する。そして外すときは引くことを止めればよい。
【手続補正１７】
【補正対象書類名】明細書
【補正対象項目名】００８９
【補正方法】変更
【補正の内容】
【００８９】
実施例２７
実施例２７を図２７に基づいて説明する。このものは、実施例２５における枠状体のつかみ手Ａの上端側に円形パイプ状の被係止部１５を設け、つかみ手Ａと引き手Ｂの間にばねを設けつかみ手Ａをひき手Ｂの上方に付勢させ、スタビライザー１の一端側を連結している。方形の枠状体を上下に二つに分割して下部のものの幅を少し大きくしたものの両上端側には穴１３０、１３０設け、上部のものの両下端側には穴１３０にちょうどはまる突起１２６、１２６を外側に向けて設け、そして両方を連結している。その連結した枠状体の上端中央側には穴を開けてその穴と同じくらいの大きさの円形パイプ状の被係止部１５を上方に向けて取り付け、縦長のスリット１２７をその円形パイプ状の被係止部１５の両側の上端側にかけて設け、スタビライザー１としている。下方の一方の回動するスタビライザー１の下端中央に突設片２を設け、その突設片２には実施例２５と同じ形状の挟圧片２にさらに縦方向に切欠き３６を設けその切欠き３６の下端のすぐ下に引き手Ｂの下端側を取り付ける引き手取り付け部３である穴を設けている。そして、円形パイプ状の被係止部１５より少し太めで引き手Ｂ側である円形パイプ状の係止片１３の上端にはフック６８を設け、上端側にはピン６５を設け、下端側にはピン１２８を取り付ける穴を両側に設けている。ピン６５に弾性体４５であるコイルばねの上端側を取り付け、コイルばねの下端側を係止片１３の下端側の両側に設けた穴とスリット１２７とに一緒に通したピン１２８に取り付け、つかみ手Ａを引き手Ｂの上方側に付勢させている。そして引き手Ｂのワイヤーロープ１２４の上端側もピン１２８側に取り付け、ワイヤーロープ１２４の下端側を十分なたるみを持たせた状態で突設片２の下端側に設けた引き手取り付け部３である穴に取り付けている。
【手続補正１８】
【補正対象書類名】明細書
【補正対象項目名】００９１
【補正方法】変更
【補正の内容】
【００９１】
【発明の効果】
請求項１に記載の手さげ洗濯かご等つかみ装置においては、吊り下げた手さげ洗濯かごの細長い取っ手等を確実につかむことができ、滑ることはない。さらに、重力を利用した簡単な作りで、洗濯かご等の自重に比例してより強くつかむことができ、しかも簡単に掛け外しができる。請求項２〜請求項１０に記載した手さげ洗濯かご等つかみ装置において、手さげ洗濯かごの細長い取っ手等を確実につかむことができ、滑ることはない。また、棒や線材等を水平に吊るしたり引っかけて引き寄せたりしたときに、確実につかむことができ、棒や線材等は滑ることはない。さらに、重力やひっぱる力を利用した簡単な作りで、手さげ洗濯かご等や線材等の自重やひっぱる力に比例してより強くつかむことができ、しかも簡単に掛け外しができる。請求項３に記載したものは、てこの作用が加わりさらに強くつかむことができる。請求項４に記載したものは、吊るされた棒や線材等が上下方向に大きく揺れたり、物干し竿等に吊るした本装置が竿等の伸長方向に大きく揺れたりしても、つかみ手の一端側も一緒に揺動して棒や線材等と突設片２及び物干し竿等と突設片２との密着性は変わらず常に安定良くつかみグリップすることができる。請求項５に記載したものは、閉じていないかぎ形なので簡単に掛け外しでき、縦方向のパイプ等に横から引っ掛けたりすることもできる。請求項７、８に記載したものは、本体を握って使用でき、水平方向や上下方向等にある棒やパイプ等をつかむことができる。また、吊るして使用することもできる。請求項９に記載したものは、弾性体４５の作用により引き手Ｂ側に十分なたるみができているので、引き手Ｂ側にいちいちたるみをもたす必要がない。外すときも引き手Ｂ側にいちいちたるみをもたす必要がない。従って、掛け外しは実に簡単である。請求項１０に記載したものは、握り持って棒やパイプ等を引っ掛けると同時にトリガーを引いたり押したりするだけで、張力は自動的に瞬時にかかり締め上げることができる。吊り下げたり引っぱったりして張力を掛ける必要がない。従って、操作は極めて簡単である。そして、引き手Ｂ側をひっぱって張力を更に付加することもできる。